(57)【要約】【課題】  従来の心臓の検査時に患者の左側に位置する落込部を落とし、あるいは、引抜部を引き抜き構造の診療台にあっては、検査が終了して落込部あるいは引抜部を戻す場合に、医師は左側に移動して操作を行わなければならないため煩わしいといった問題があった。【解決手段】  患者の下肢部を受ける下肢受け部２１と、患者の背部を受ける背凭れ部２３とからなり、かつ、背凭れ部は下肢受け部に対して起伏可能に取付けられている診療台２と、前記背凭れ部から下肢部受け側を見て左側の前記背凭れ部の一部に分離して配置された胸部支持台２６と、該胸部支持台とは反対側の前記背凭れ部の裏面側に取付けられたハンドル３１と、該ハンドルと前記胸部支持台との間を連結し、ハンドルを操作することで胸部支持台を下方に移動する上下動手段３とより構成した心臓超音波検査用診療台である。【選択図】        図５
2006081799.tif 000002
【特許請求の範囲】
【請求項１】
患者の下肢部を受ける下肢受け部と、患者の背部を受ける背凭れ部とからなり、かつ、背凭れ部は下肢受け部に対して起伏可能に取付けられている診療台と、前記背凭れ部から下肢受け部側を見て左側の前記背凭れ部の一部に分離して配置された胸部支持台と、該胸部支持台とは反対側の前記背凭れ部の裏面側に取付けられたハンドルと、該ハンドルと前記胸部支持台との間を連結し、ハンドルを操作することで胸部支持台を下方に移動させる上下動手段とより構成したことを特徴とする心臓超音波検査用診療台。
【請求項２】
前記上下動手段は、前記背凭れ部の裏面に回動自在に軸支されたハンドルに一端が軸支されハンドルの回動により略水平方向に移動する移動リンクと、該移動リンクの先端に軸支された平行リンクとから構成され、該平行リンクの先端に前記胸部支持台が水平状態で上下動可能なように軸支されていることを特徴とする請求項１記載の心臓超音波検査用診療台。
【請求項３】
前記背凭れ部の先端に、検査中の患者の姿勢を保持するために患者が握るためのグリップが取付けられていることを特徴とする請求項１記載の心臓超音波検査用診療台。
【請求項４】
前記背凭れ部から見て右側の下肢受け部には、検査者が登るための膨出部が一体的に形成されていることを特徴とする請求項１記載の心臓超音波検査用診療台。
【発明の詳細な説明】
【技術分野】
【０００１】
本発明は、超音波を心臓部分に照射して、心臓や血管の形、血液の流れを観察するために患者を乗せるための心臓超音波検査用診療台に関する。
【背景技術】
【０００２】
患者の身体にプローブを移動させながら超音波で身体内を診察する超音波診察台としては、例えば、特開平１０−２４８８４９号公報に開示されている発明がある。この発明は、診療台における長手方向に沿った一側に落込部を、他の側に引抜部を形成したものであり、この落込部や引抜部を落とし込んだ部分や引き抜いた部分から超音波のプローブを患者の胸部や腹部に当てることができるようにしたものである。また、患者を診療台に寝かせた状態において、患者の背中側を起伏可能としたものである。
【０００３】
そして、この発明において、診療台の長手方向の側面に落込部と引抜部を形成した理由としては、診療台を設置する診察室の有効利用を図るために、診療台の一側を壁面に沿わせて配置した場合でも、落込部か引抜部の何れか一方を利用できるようにしたためである。
【特許文献１】特開平１０−２４８８４９号公報
【発明の開示】
【発明が解決しようとする課題】
【０００４】
ところで、心臓の検査時には患者の左側に位置する落込部を落とし、あるいは、引抜部を引き抜き、かつ、医師は患者の右側からプローブの操作を行うのであるが、検査が終了して落込部あるいは引抜部を戻す場合に、医師は左側に移動して操作を行わなければならないため煩わしいといった問題があり、また、垂下状態にある落込部や引き抜かれた引抜部を元の位置に戻さない状態で患者が起き上がろうとして手をついた部分が抜けていることがあるといった問題があった。
【０００５】
本発明は前記した問題点を解決せんとするもので、その目的とするところは、起伏可能な背凭れ部から見て左側に胸部支持台を昇降可能に配置すると共に右側に該胸部支持台を昇降するためのハンドルを設けたことにより、寝た状態の患者の右側で医師がプローブの操作を行って、検査が終了した後に胸部支持部を上昇させるハンドルの操作を右側で行えることから、胸部支持台の操作を左側に移動することなく行える心臓超音波検査診療台を提供せんとするにある。
【課題を解決するための手段】
【０００６】
本発明の心臓超音波検査診療台は前記した目的を達成せんとするもので、請求項１の手段は、患者の下肢部を受ける下肢受け部と、患者の背部を受ける背凭れ部とからなり、かつ、背凭れ部は下肢受け部に対して起伏可能に取付けられている診療台と、前記背凭れ部から下肢受け部側を見て左側の前記背凭れ部の一部に分離して配置された胸部支持台と、該胸部支持台とは反対側の前記背凭れ部の裏面側に取付けられたハンドルと、該ハンドルと前記胸部支持台との間を連結し、ハンドルを操作することで胸部支持台を下方に移動させる上下動手段とより構成したものである。
【０００７】
請求項２の手段は、前記した請求項１の手段において、前記上下動手段が、前記背凭れ部の裏面に回動自在に軸支されたハンドルに一端が軸支されハンドルの回動により略水平方向に移動する移動リンクと、該移動リンクの先端に軸支された平行リンクとから構成され、該平行リンクの先端に前記胸部支持台が水平状態で上下動可能なように軸支されていることを特徴とする。
【０００８】
請求項３の手段は、前記した請求項１の手段において、前記背凭れ部の先端に、検査中の患者の姿勢を保持するために患者が握るためのグリップが取付けられていることを特徴とする。
【０００９】
請求項４の手段は、前記した請求項１の手段において、前記背凭れ部から見て右側の下肢受け部には、検査者が腰掛けるための膨出部が一体的に形成されていることを特徴とする。
【発明の効果】
【００１０】
本発明は前記したように、起伏可能な背凭れ部から見て左側に胸部支持台を略水平状態で上下動するように構成し、かつ、胸部支持台を上下動させるためのハンドルを右側に設けたので、寝た状態の患者の右側で医師がプローブの操作を行って、検査が終了した後に胸部支持部を上昇させるハンドルの操作を右側で行えることから、胸部支持台の上下動操作を左側に移動することなく行える。
【００１１】
また、背凭れ部の先端にグリップを取付けたることで、患者が左側臥位の状態で検査を受ける場合に、該患者がグリップを握ることで安定した姿勢を保持できて、検査がスムースに行える。
【００１２】
さらに、背凭れ部から見て右側の下肢受け部には、検査者が腰掛けるための膨出部を形成することで、該膨出部に腰掛けて検査を行うことで検査者に無理な姿勢を強いられることがなく、長時間の検査でも検査者の負担を軽減することができるという効果を有するものである。
【発明を実施するための最良の形態】
【００１３】
本発明は、診療台の背凭れ部から下肢受け部側を見て左側の前記背凭れ部の一部に配置された胸部支持台を分離可能に形成し、該胸部支持台とは反対側の前記背凭れ部の裏面側にハンドルを取付け、該ハンドルを操作することで胸部支持台を下方に移動させるものである。
【実施例１】
【００１４】
以下、本発明に係る心臓超音波検査診療台の一実施例を図面と共に説明する。
１は基台にして、油圧シリンダ等の昇降手段（図示せず）が蛇腹状の収縮カバー１１内に収容されている。２は前記昇降手段の上端に取付けられた下肢受け部２１と、該下肢受け部２１に回動部材２２を介して取付けられた背凭れ部２３とから構成された診療台である。
【００１５】
そして、背凭れ部２３と下肢受け部２１との間には油圧シリンダ２４が取付けられており、該油圧シリンダ２４への油の供給により背凭れ部２３は起立方向に回動され、また、油を抜くことで伏倒方向に回動される。また、背凭れ部２３の先端にはＵ字状のグリップ２５が取付けられている。一方、下肢受け２１の長手方向の右側（図２において上側）には円弧状の膨出部２１ａが一体的に形成されている。
【００１６】
このように構成した診療台２に対して患者は、下肢受け部２１側に腰から下側の下肢を乗せ、また、背凭れ部２３側に背中側を乗せて仰臥状態に寝る。この状態において検査者は下肢受け部２１の膨出部２１ａに腰掛けて超音波診療器のプローブを、患者の胸の辺りに当てて診察を行うものである。
【００１７】
ところで、患者を前記診療台２に左側を下にした側位状態としてプローブによって検査する場合に、背凭れ部２３が邪魔になる。そこで、本発明におっては、背凭れ部２３の長手方向の左側（図２において下側）に凹部２３ａを形成し、この凹部２３ａに嵌まる大きさの胸部支持台２６を背凭れ部２の右側に取付けらた上下動手段３におけるハンドル３１を回動することで、胸部支持台２６を略水平状態で上下動させ、臥位状態にある患者の心臓と背凭れ部２３との間に隙間を作り、この隙間からプローブであてて検査できるようにした。
【００１８】
次に、上下動手段３の詳細について説明するに、図３に示すように、前記背凭れ部２３の凹部２３ａとは反対側の裏面にハンドル３１を回動自在に軸支し、このハンドル３１を回動することで水平方向に移動する移動リンク３２の一端を軸支し、該移動リンク３２の他端に連結板３３を介して固定された第１の平行リンク３４を接続する。また、一端が背凭れ部２３の裏面側に第２の平行リンク３５を軸支し、該第２の平行リンク３５の他端と、前記第１のリンク３４の他端を前記した胸部支持台２６の裏面側から突出している垂下板２６ａに軸支する。
【００１９】
前記した構成において、左側を下にした側臥位状態にある患者の下側からプロープを当てて検査する場合の動作について説明する。
すなわち、図１〜図３に示す胸部支持台２６が背凭れ部２３の凹部２３ａ内に上昇していて背凭れ部２３がフラットな状態から、胸部支持台２３を下降させる動作について説明する。
【００２０】
先ず、上下動手段３におけるハンドル３１を反時計方向に検査者等が回動すると、移動リンク３２が図３の位置から図６に示すように左方向に移動する。該移動リンク３２が左方向に移動すると、該移動リンク３２に固定されている第１の平行リンク３４に対して連結板３３を介して左方向に移動する力が作用するが、ここで、第２の平行リンク３５の一端が背凭れ部２３の裏面に一端が軸支されていることから、胸部支持台２６側に軸支されている他端側は反時計方向に回動される。
【００２１】
そして、第１の平行リンク３４が反時計方向に回動されると、胸部支持台２６は下方向に移動するが、該胸部支持台２６には第２の平行リンク３４の他端も軸支されていることから、胸部支持台２６は傾くことなく水平状態で下降することとなる。この胸部支持台２６の下降は、第１と第２の平行リンク２４，２５との平行移動が不可能な状態になると不可能となり、それ以上の下降は阻止されるので、ハンドル３１を回動も行えなくなる。
【００２２】
このように、胸部支持台２６の上下動を行うためのハンドル３１は、胸部支持台２６とは反対側に設けられているので、診療台２の左側（胸部支持台側）を診療室の壁面に沿って配置することが可能となる。
【００２３】
なお、前記した実施例では、ハンドル３１の回動操作によって胸部支持台２６を上下動させる場合について説明したが、胸部支持台２６の裏面側にラックを垂下させ、該ラックに噛合するウォームギアをハンドルの回転によって回転させ、ラックを上下動させるような構造でも、前記した効果は得られるものである。
【図面の簡単な説明】
【００２４】
【図１】本発明に係る心臓超音波検査用診療台の一実施例を示す側面図である。
【図２】同上の平面図である。
【図３】同上の要部を示す断面図である。
【図４】胸部支持台を下降した状態を示す上面側から見た斜視図である。
【図５】同上の裏面側から見た斜視図である。
【図６】胸部支持台を下降した状態の要部を示す断面図である。
【符号の説明】
【００２５】
２          診療台
２１        下肢受け部
２１ａ      膨出部
２３        背凭れ部
２５        グリップ
２６        胸部支持台
３          上下動手段
３１        ハンドル
３２        移動リンク
３４        第１の平行リンク
３５        第２の平行リンク
【図１】
2006081799.tif 000003
【図２】
2006081799.tif 000004
【図３】
2006081799.tif 000005
【図４】
2006081799.tif 000006
【図５】
2006081799.tif 000007
【図６】
2006081799.tif 000008